(57)【要約】【課題】この発明は椅子に着座した利用者の腰部を確実に支持することができるようにした椅子用クッション装置を提供することにある【解決手段】椅子の座部に載置して用いられるクッション装置であって、気密に形成され内部に空気を出し入れするための開閉可能な空気栓７を有する袋状の外装体１と、この外装体内に設けられ上記空気栓を開放した状態で荷重を受けると圧縮変形する発泡弾性体２と、多数の粒状物５及びこの粒状物が収容保持された通気性の保持袋４からなり、上記発泡弾性体を圧縮変形させてから上記空気栓を閉じることで所定形状に維持される保形体３とを具備する。【選択図】    図２
2004321583.tif 000002
【特許請求の範囲】
【請求項１】
椅子の座部に載置して用いられるクッション装置であって、
気密に形成され内部に空気を出し入れするための開閉可能な空気栓を有する袋状の外装体と、
この外装体内に設けられ上記空気栓を開放した状態で荷重を受けると圧縮変形する発泡弾性体と、
多数の粒状物及びこの粒状物が収容保持された通気性の保持袋からなり、上記発泡弾性体を圧縮変形させてから上記空気栓を閉じることで所定形状に維持される保形体と
を具備したことを特徴とする椅子用クッション装置。
【請求項２】
上記発泡弾性体は、上記外装体の幅方向中央部分に設けられ、上記保形体は上記発泡弾性体の両側に設けられていることを特徴とする請求項１記載の椅子用クッション装置。
【請求項３】
上記椅子の座部の両側には肘かけ体が設けられ、上記外装体の幅寸法は上記座部の幅寸法よりも大きく形成されていて、
上記一対の保形体は、上記一対の肘かけ体の内面に沿う形状に維持されることを特徴とする請求項２記載の椅子用クッション装置。
【請求項４】
上記外装体には、上記発泡弾性体の両側に設けられた一対の保形体と対応する個所に上記空気栓がそれぞれ設けられていることを特徴とする請求項２記載の椅子用クッション装置。
【発明の詳細な説明】
【０００１】
【発明の属する技術分野】
この発明は椅子に着座する利用者が利用するのに好適する椅子用クッション装置に関する。
【０００２】
【従来の技術】
たとえば、車椅子などの介護用の椅子は、自力で歩行したり、身体を支えることができない老人や病人などに利用されることがある。そのような体力が低下した利用者が椅子を利用する場合、着座姿勢を確実に維持することが難しいということがある。
【０００３】
とくに、介護用の椅子は、介護者が座部に着座した利用者を介護し易くしたり、利用者が着座し易いようにするなどのため、通常の椅子に比べて座部の幅寸法が大きく作られていることが多い。
【０００４】
座部の幅寸法が大きいと、座部に着座した利用者の腰部の両側と、座部の幅方向両側に設けられた肘掛け体との間に大きな隙間が生じ易い。そのため、座部に着座した利用者の腰部がふらつき易くなるため、着座姿勢が維持できず、上半身が側方に倒れてしまうという虞がある。
【０００５】
従来、椅子に着座した利用者が着座姿勢を確実に維持することができない虞がある場合、利用者の上半身をベルトによって椅子に保持するということが行われていた。
【０００６】
【発明が解決しようとする課題】
体力の低下が著しい利用者の場合には、着座した利用者の上半身をベルトで椅子に保持することが要求されることがある。しかしながら、利用者の体力の低下が上半身をベルトで椅子に保持する程度に低下していない場合、上半身をベルトによって椅子に保持しなくとも、腰部を確実に保持することで、着座姿勢を維持することが可能であり、そのような状態の利用者にとっては上半身をベルトで保持することが苦痛であった。
【０００７】
この発明は、椅子の座部に着座した利用者の身体の腰部を確実に保持することができるようにした椅子用クッション装置を提供することにある。
【０００８】
【課題を解決するための手段】
この発明は、椅子の座部に載置して用いられるクッション装置であって、
気密に形成され内部に空気を出し入れするための開閉可能な空気栓を有する袋状の外装体と、
この外装体内に設けられ上記空気栓を開放した状態で荷重を受けると圧縮変形する発泡弾性体と、
多数の粒状物及びこの粒状物が収容保持された通気性の保持袋からなり、上記発泡弾性体を圧縮変形させてから上記空気栓を閉じることで所定形状に維持される保形体と
を具備したことを特徴とする椅子用クッション装置にある。
【０００９】
上記発泡弾性体は、上記外装体の幅方向中央部分に設けられ、上記保形体は上記発泡弾性体の両側に設けられていることが好ましい。
【００１０】
上記椅子の座部の両側には肘かけ体が設けられ、上記外装体の幅寸法は上記座部の幅寸法よりも大きく形成されていて、
上記一対の保形体は、上記一対の肘かけ体の内面に沿う形状に維持されることが好ましい。
【００１１】
上記外装体には、上記発泡弾性体の両側に設けられた一対の保形体と対応する個所に上記空気栓がそれぞれ設けられていることが好ましい。
【００１２】
この発明によれば、発泡弾性体を圧縮するとともに保形体を所定の形状に変形させてから空気栓を閉じると、圧縮された発泡弾性体が復元しようとすることで、この発泡弾性体内に袋体内の空気が吸引されて保形体の粒状物が密着するから、上記保形体を変形させた形状に維持することができる。
【００１３】
【発明の実施の形態】
以下、図面を参照しながらこの発明の一実施の形態を説明する。
【００１４】
図１はこの発明の一実施の形態に係る椅子用クッション装置Ａの斜視図である。この椅子用クッション装置Ａはビニールなどの気密性と可撓性を備えた２枚のシート１ａによって気密な矩形袋状に形成された外装体１を備えている。
【００１５】
上記外装体１内には、図２（ａ）〜（ｃ）に示すように幅方向中央部分にウレタンフォームなどからなる板状の発泡弾性体２が幅方向と交差する方向ほぼ全長にわたって設けられている。この発泡弾性体２の幅方向両側には保形体３が同じく幅方向と交差する方向ほぼ全長にわたって収容されている。
【００１６】
上記保形体３は、メッシュなどの通気性を備えて材料によって形成された扁平状の保持袋４内に、ポリスチレン発泡ビーズなどの合成樹脂によって形成された多数の粒状物５が収容保持されてなる。
【００１７】
上記外装体１を形成する２枚のシート１ａは、周縁部を溶着するとともに、発泡弾性体２の両側と、この両側に設けられた保形体３との間の部分が部分的に溶着されている。
この実施の形態では図２（ａ）に示すように、発泡弾性体２の両側にはそれぞれ２つの溶着部６が設けられている。上記外装体１の上記溶着部６以外の個所では、上記発泡弾性体２と保形体３とが連通している。
【００１８】
上記外装体１の一方のシート１ａには、上記保持体３の長手方向一端部と対応する個所にそれぞれ開閉可能な一対の空気栓７が設けられている。この空気栓７を通じて外装体１内に空気を供給したり、外装体１内の空気を抜くことができるようになっている。
【００１９】
図３（ａ），（ｂ）は上記椅子用クッション装置Ａを車椅子Ｂに利用する場合の図である。車椅子Ｂは本体１１を有する。この本体１１は一対の前輪１２と、この前輪１２よりも大径な一対の後輪１３とによって走行可能な構成となっている。上記本体１１には座部１５が設けられている。この座部１５の後端には背部１６が立設され、両側には肘掛け体１７が設けられている。
【００２０】
図３（ｂ）に示すように、上記座部１５に上記椅子用クッション体Ａが載置される。上記椅子用クッション装置Ａは、幅寸法が上記座部１５の幅寸法よりも大きく形成されている。この実施の形態では、クッション装置Ａの発泡弾性体２の幅寸法が上記座部１５の幅寸法とほぼ同じ或いはわずかに小さく設定されている。
【００２１】
それによって、座部１５に載置された椅子用クッション装置Ａは発泡弾性体２の両側に設けられた一対の保形体３が肘掛け体１７の内面に沿って屈曲することになる。
座部１５に載置された椅子用クッション体Ａは一対の空気栓７を開放しておく。この状態で、図３（ａ）に示すように利用者Ｕが座部１５に利用者Ｕが座部１５に載置されたクッション体Ａの発泡弾性体２上に着座する。
【００２２】
利用者Ｕが座部１５に着座したならば、利用者Ｕの腰部の両側と肘掛け体１７の内面との間に介在する一対の保持体３を変形させ、保持体３を利用者Ｕの腰部にフィットする形状、つまり腰部を確実に保持する形状に変形させる。それによって、体力が多少衰えた利用者Ｕであっても、座部１５での着座姿勢を良好に維持することが可能となる。
【００２３】
利用Ｕがクッション装置Ａの発泡弾性体２上に着座することで、この発泡弾性体２が圧縮変形すると、発泡弾性体２に含まれた空気が一対の空気栓６から外装体１の外部に排出される。その状態で、利用者Ｕ或いは介護者が空気栓６を閉じる。
【００２４】
空気栓６を閉じた状態で利用者Ｕが座部１５から立ち上がると、発泡弾性体２に加わった荷重が除去されるから、この発泡弾性体２が復元しようとする。しかしながら、発泡弾性体２が収容された外装体１は空気栓６が閉じられ、気密状態にあるから、発泡弾性体２は外装体１の両側に収容された保形体３から空気を奪いながら復元する。
【００２５】
発泡弾性体２が保形体３から空気を奪いながら復元するにともない、保形体３の保持袋４に収容された粒状物５の密着度合いが高まる。それによって、利用者が座部１５から立ち上がっても、一対の保形体３は利用者Ｕの腰部にフィットした形状が維持されることになる。
【００２６】
図２（ｂ）は外装体１内に空気が充満した状態を示し、図２（ｃ）は外装体１から空気が抜かれることで、保形体３から空気が奪われた状態を示す。つまり、椅子用クッション装置Ａは、空気栓６を開けた状態で、利用者Ｕが座部１５に着座した後、上記空気栓６を閉じることで、利用者Ｕの腰部にフィットした形状を維持し続けることになる。
【００２７】
そのため、利用者Ｕが座部１５から立ち上がった後、再び着座するということを繰り返しても、その都度、クッション装置Ａの形状を利用者Ｕの腰部の形状に合うよう整えるということをせずに、上記椅子用クッション装置Ａの一対の保形体３によって利用者Ｕの腰部を確実に保持することができる。つまり、保形体３の形状を利用者Ｕの腰部を確実に保持する形状に保つことができるから、利用者Ｕが着座する度にクッション装置Ａの形状を整えるということをせずにすむ。
【００２８】
上記発泡弾性体２は外装体１の幅方向中央部分に設けられているから、椅子Ｂの座部１５に載置した場合、上記発泡弾性体２を座部１５に確実に位置させることができる。そのため、利用者Ｕの臀部を弾性的に支持することができるばかりでなく、利用者Ｕが着座することで、確実に圧縮変形されるから、着座後に空気栓６を閉じることで、利用者Ｕが座部１５から立ち上がった後、その復元力によって保形体３から確実に脱気することができる。
【００２９】
外装体１の幅寸法は、座部１５の幅寸法よりも大きく形成されている。そのため、外装体１を座部１５に載置すると、その両側部に設けられた一対の保形体３が座部１５の両側に設けられた肘掛け体１７の内面と、利用者Ｕの腰部の両側との間に確実に介在するから、上記一対の保形体３を確実に両者Ｕの腰部の形状にフィットさせることができる。
【００３０】
一対の空気栓６は保形体３に対応する部分に設けられている。そのため、外装体１を座部１５に載置し、利用者Ｕが座部１５に着座しても、上記空気栓６は利用者Ｕの背部から外れた位置になるから、利用者Ｕが座部１５に着座しても、空気栓６の開閉操作が可能となる。
【００３１】
この発明は上記一実施の形態に限定されるものでなく、たとえば外装体、発泡弾性体、粒状物などの材料は上記一実施の形態に挙げたものに限定されず、同等の作用を呈する材料であれば置換可能である。
【００３２】
【発明の効果】
以上のようにこの発明によれば、外装体の両側に粒状物からなる保形体が設けられているから、この保形体によって利用者の腰部を確実に保持することが可能となる。
【００３３】
しかも、外装体に設けられた発泡弾性体を圧縮するとともに保形体を所定の形状に変形させてから空気栓を閉じると、圧縮された発泡弾性体が復元しようとすることで、この発泡弾性体内に袋体内の空気が吸引されるから、上記保形体を変形させた形状に維持することができる。そのため、上記保形体を利用者にフィットした形状に維持できるため、繰り返して使用する場合に便利である。
【図面の簡単な説明】
【図１】この発明の一実施の形態に係る椅子用クッション装置の斜視図。
【図２】（ａ）は椅子用クッション装置の平面図、（ｂ）は内部に空気が充満した状態の断面図、（ｃ）内部の空気を抜いた状態の断面図。
【図３】（ａ）は利用者が椅子にクッション装置を利用して着座した状態の斜視図、（ｂ）は椅子にクッション装置を設けた状態の斜視図。
【符号の説明】
１…外装体、２…発泡弾性体、３…保形体、４…保持袋、５…粒状物、７…空気栓、１５…座部、１７…肘掛け体、Ａ…椅子用クッション装置、Ｂ…椅子。
【図１】
2004321583.tif 000003
【図２】
2004321583.tif 000004
【図３】
2004321583.tif 000005